(57)【要約】【課題】図柄表示装置の回転時に制御装置からの制御信号や電力を図柄表示装置に確実に供給し得る遊技機を提供する。【解決手段】表示制御装置１６が接続される回転コネクタ３５の第１部材３６に、表示制御装置１６からの制御信号を無線信号として発信する赤外線発信装置４０を設け、図柄表示装置２５が接続される回転コネクタ３５の第２部材３７に、赤外線発信装置４０からの無線信号を受信して図柄表示装置２５に入力する赤外線受信装置４２を設ける。更に、図柄表示装置２５に、表示制御装置１６から回転コネクタ３５を介して供給される電力を蓄える蓄電手段２４を設けて、表示制御装置１６からの電力を、常には回転コネクタ３５における帯状トラックとスライダとの接触により図柄表示装置２５およびコンデンサ２４に供給し、該帯状トラックとスライダとの非接触時にはコンデンサ２４に蓄電した電力を図柄表示装置２５に供給するように構成した。【選択図】図６
2008125672.tif 000002
【特許請求の範囲】
【請求項１】
複数の帯状トラックを同心円状に設けた第１部材と、該第１部材に対し相対的に回転可能で、回転時に前記夫々の帯状トラックに対応的に摺接する複数のスライダを設けた第２部材とからなる回転コネクタを備え、前記第１部材および第２部材の一方に遊技盤に回転自在に配設した図柄表示装置を接続し、該第１部材および第２部材の他方に図柄表示装置を電気的に制御する制御装置を接続した遊技機において、
前記第１および第２部材における固定側部材に設けられて前記制御装置に接続し、該制御装置からの制御信号を無線信号として発信する発信手段と、
前記第１および第２部材における回転側部材に設けられて前記図柄表示装置に接続し、前記発信手段からの無線信号を受信して図柄表示装置に入力する受信手段と、
前記図柄表示装置と一体的に回転し、前記制御装置から回転コネクタを介して供給される電力を蓄える蓄電手段とを備え、
前記制御装置からの電力を、常には前記回転コネクタにおける前記帯状トラックとスライダとの接触により前記図柄表示装置および蓄電手段に供給し、該帯状トラックとスライダとの非接触時には蓄電手段に蓄電した電力を前記図柄表示装置に供給するよう構成した
ことを特徴とする遊技機。
【請求項２】
前記発信手段および受信手段の夫々を、前記回転コネクタの回転中心に配置した請求項１記載の遊技機。
【請求項３】
前記制御装置は制御信号をパラレル信号で出力するよう構成され、
前記発信手段と制御装置との間には、前記パラレル信号をシリアル信号に変換するパラレル−シリアル変換手段を設けると共に、前記受信手段と図柄表示装置との間には、シリアル信号をパラレル信号に変化するシリアル−パラレル変換手段を設けた請求項１または２記載の遊技機。
【発明の詳細な説明】
【技術分野】
【０００１】
本発明は、遊技機に関し、更に詳細には、遊技盤に回転自在に配設した図柄表示装置と、該図柄表示装置を電気的に制御する制御装置とを回転コネクタを介して電気的に接続するよう構成された遊技機に関するものである。
【背景技術】
【０００２】
代表的な遊技機であるパチンコ機は、機内にセットされる遊技盤に画成した遊技領域の略中央位置に装飾部材が設けられ、該装飾部材に形成した開口部から各種図柄を変動および停止表示可能な液晶式やドラム式等の図柄表示装置が前方に臨むよう配設されている。そして、前記図柄表示装置を表示制御装置に配線を介して電気的に接続し、該表示制御装置からの制御信号に基づいて図柄表示装置の図柄を変動および停止表示して図柄変動ゲームを行なうよう構成される。更に、近年では、前記図柄表示装置で図柄変動ゲームを行なうだけでなく、該図柄表示装置自体を回転等させて、遊技の興趣をより増大させるようにしたパチンコ機も提案されている(例えば、特許文献１参照)。前記特許文献１に記載のパチンコ機では、複数の帯状トラックを同心円状に設けた第１部材と、前記第１部材に対し相対的に回転可能で、回転時に夫々の帯状トラックに対応的に摺接する複数のスライダを設けた第２部材とからなる回転コネクタに、前記図柄表示装置と制御装置とを接続して、図柄表示装置の回転時に帯状トラックとスライダとが接触することで、制御装置と図柄表示装置との通電状態を保持するよう構成されている。すなわち、前記図柄表示装置で行なわれる図柄変動ゲームに合わせて、図柄表示装置自体を回転させることにより遊技者を惹き付け、遊技の興趣を増大するようになっている。
【特許文献１】特開２００６−６６４５号公報
【発明の開示】
【発明が解決しようとする課題】
【０００３】
前述したように、特許文献１に記載のパチンコ機では、前記回転コネクタのスライダが帯状トラック上を摺動することで図柄表示装置と制御装置との通電状態を維持する。このため、前記図柄表示装置の回転に伴う遠心力等に起因して、帯状トラックとスライダとが非接触の状態が生ずると、図柄表示装置と制御装置との通電が一時的に断絶されて、図柄表示装置が不正常な動作(例えば、液晶画面の表示にノイズが生じたり、ドラムの回転が不自然になる等)が発生する可能性を内在していた。特に、近年は図柄表示装置を大型化する傾向にあり、該図柄表示装置の回転時に発生する遠心力等の増大により図柄表示装置に不正常な動作が生ずる可能性が高まっており、図柄表示装置を回転させつつ確実な通電状態を維持できる技術が求められている。
そこで、本発明は、図柄表示装置の回転時に制御装置からの制御信号や電力を図柄表示装置に確実に供給し得る遊技機を提供することを目的とする。
【課題を解決するための手段】
【０００４】
前記課題を克服し、所期の目的を達成するため、本願の請求項１に係る遊技機は、
複数の帯状トラック(36a)を同心円状に設けた第１部材(36)と、該第１部材(36)に対し相対的に回転可能で、回転時に前記夫々の帯状トラック(36a)に対応的に摺接する複数のスライダ(37a)を設けた第２部材(37)とからなる回転コネクタ(35)を備え、前記第１部材(36)および第２部材(37)の一方に遊技盤に回転自在に配設した図柄表示装置(25)を接続し、該第１部材(36)および第２部材(37)の他方に図柄表示装置(25)を電気的に制御する制御装置(16)を接続した遊技機において、
前記第１および第２部材(36,37)における固定側部材(36)に設けられて前記制御装置(16)に接続し、該制御装置(16)からの制御信号を無線信号として発信する発信手段(40)と、
前記第１および第２部材(36,37)における回転側部材(37)に設けられて前記図柄表示装置(25)に接続し、前記発信手段(40)からの無線信号を受信して図柄表示装置(25)に入力する受信手段(42)と、
前記図柄表示装置(25)と一体的に回転し、前記制御装置(16)から回転コネクタ(35)を介して供給される電力を蓄える蓄電手段(24)とを備え、
前記制御装置(16)からの電力を、常には前記回転コネクタ(35)における前記帯状トラック(36a)とスライダ(37a)との接触により前記図柄表示装置(25)および蓄電手段(24)に供給し、該帯状トラック(36a)とスライダ(37a)との非接触時には蓄電手段(24)に蓄電した電力を前記図柄表示装置(25)に供給するよう構成したことを要旨とする。
【０００５】
このように、制御装置からの制御信号を発信手段が無線信号として発信すると共に、該無線信号を受信手段が受信して図柄表示装置に入力するよう構成したことで、回転コネクタにおける帯状トラックとスライダとに非接触な状態が発生したとしても、制御装置からの制御信号を図柄表示装置に確実に伝達することができ、該図柄表示装置に適切な表示を行なわせることが可能となる。また、発信手段が発信した無線信号を受信手段が受信するよう構成したことで、回転コネクタにおける第１部材の帯状トラックおよび第２部材のスライダの形成数、すなわち回転コネクタにおける接触部位を必要最小限にし得るから、回転抵抗を低減して第１部材および第２部材を相対的にスムーズに回転させ得る。そして、図柄表示装置および回転コネクタの夫々に接続する蓄電手段を設け、常には制御装置から供給される電力を蓄電するようにしたから、回転コネクタにおける帯状トラックとスライダとに非接触な状態が一時的に発生した場合であっても、該蓄電手段に蓄電した電力を図柄表示装置に供給でき、図柄表示装置を正常に作動させることができる。
【０００６】
請求項２に係る遊技機は、前記発信手段(40)および受信手段(42)の夫々を、前記回転コネクタ(35)の回転中心に配置したことを要旨とする。
【０００７】
このように、前記発信手段および受信手段の夫々を、前記回転コネクタの回転中心に配置することで、図柄表示装置の回転時に生ずる両手段の相対的な位置関係のズレを最小限にでき、制御信号の確実な受信を可能とし得る。
【０００８】
請求項３に係る遊技機は、前記制御装置(16)は制御信号をパラレル信号で出力するよう構成され、
前記発信手段(40)と制御装置(16)との間には、前記パラレル信号をシリアル信号に変換するパラレル−シリアル変換手段(44)を設けると共に、前記受信手段(42)と図柄表示装置(25)との間には、シリアル信号をパラレル信号に変化するシリアル−パラレル変換手段(45)を設けたことを要旨とする。
【０００９】
このように、制御装置から制御信号をパラレル信号で出力することで、より多くの情報を伝達することが可能となる。また、発信手段が無線信号を発信する前に、前記パラレル信号をシリアル信号に変換することで、該発信手段および受信手段の間でやりとりされる情報量を抑制できるから、全情報(前信号)を速やかに伝送できる。従って、外的要因によって発信手段および受信手段の間でやりとりされる信号が欠損するのを防止できる。更に、受信手段が受信したシリアル信号をパラレル信号に再変換することで、図柄表示装置として遊技機に使用される一般的なものを採用することができ、コストの増大を抑制しつつ多彩な演出が可能となる。
【発明の効果】
【００１０】
本発明に係る遊技機によれば、図柄表示装置の回転時に制御装置からの制御信号や電力を図柄表示装置に確実に供給し得る。
【発明を実施するための最良の形態】
【００１１】
次に、本発明に係る遊技機につき、好適な実施例を挙げて、添付図面を参照しながら、以下詳細に説明する。なお実施例では、遊技機としてパチンコ球を遊技媒体として使用する一般的なパチンコ機を例にして説明する。
【実施例】
【００１２】
実施例に係るパチンコ機Ｐの概略構成について、図１を参照して説明する。パチンコ機ＰＰは、遊技店に設けられた「島」とも称される設置枠台(図示せず)に固定される外枠Ａと、該外枠Ａに対して着脱および開閉可能に枢支された中枠Ｂと、該中枠Ｂに着脱交換可能に取り付けられて所要の遊技領域１０ｂが画成される遊技盤１０と、中枠Ｂの前面側に着脱および開閉可能に枢支され、中枠Ｂに配設した遊技盤１０を透視保護する透明板を備えた前枠Ｃとを備えている。また、前記中枠Ｂにおける前記前枠Ｃの下方位置には、パチンコ球Ｐを貯留可能な上球皿Ｄが開閉可能に組み付けられると共に、該上球皿Ｄの下方には、パチンコ球を貯留可能な下球皿Ｅが組み付けられている。なお、前記中枠Ｂにおける下球皿Ｅの右方位置には、操作ハンドルＦが設けられており、該操作ハンドルＦを操作することで、中枠Ｂに配設した打球発射機構部(図示せず)が作動して上球皿Ｄのパチンコ球Ｐを遊技盤１０へ向けて打ち出すよう構成されている。
【００１３】
前記遊技盤１０は、図１に示すように、略円形状に湾曲形成したレール１０ａにより画成された遊技領域１０ｂ内に、各種図柄による図柄変動ゲームを行なう回転式表示装置２０や、パチンコ球の入賞により回転式表示装置２０において図柄変動ゲームを行なわせる始動入賞装置１１、所謂大当り遊技の発生時にパチンコ球が入賞可能で、パチンコ球の入賞により所定数のパチンコ球を賞球として払い出させる特別入賞装置１２、その他照明装置１３等の多数の遊技部品が設けられている。そして、各種制御装置１４,１５,１６,１７,１８,１９の制御に基づいて、前記始動入賞装置１１や回転式表示装置２０、照明装置１３等の遊技部品を動作することで、所要の遊技が行なわれるようになっている。ここで、実施例では、前記制御装置として、図２または図３に示すように、パチンコ機全体を制御する主制御装置１４や、該主制御装置１４に接続される統括制御装置１５、前記回転式表示装置２０での表示制御を行なう表示制御装置(制御装置)１６、回転式表示装置２０の回転制御を行なう駆動制御装置１７、照明装置１３を制御するランプ制御装置１８、スピーカ５０を制御する音制御装置１９、その他各種制御装置(図示せず)を設けてある。
【００１４】
また、実施例では、図２または図３に示すように、前記表示制御装置１６、駆動制御装置１７、ランプ制御装置１８および音制御装置１９の夫々は、前記統括制御装置１５に接続されて、前記主制御装置１４からの制御信号を統括制御装置１５で一旦処理した後に、これら表示制御装置１６、駆動制御装置１７、ランプ制御装置１８および音制御装置１９に制御信号を送信するようになっている。すなわち、表示制御装置１６、駆動制御装置１７、ランプ制御装置１８および音制御装置１９の各制御装置に対して統括制御装置１５から同期的に制御信号を送信することで、回転式表示装置２０による演出、照明装置１３による発光演出、スピーカ５０による効果音演出を密接に関連付けた演出を可能としている。
【００１５】
(回転式表示装置について)
前記回転式表示装置２０は、図４または図５に示すように、前記遊技盤１０の略中央位置に配設されて各種装飾部材が取り付けられる本体部２２と、該本体部２２の前側に配設されて前記表示制御装置１６の制御に基づいて各種図柄を表示する略矩形状の液晶式の図柄表示装置２５と、本体部２２の前側に回転可能に配設されて図柄表示装置２５を設置する支持部材２６と、該支持部材２６に連繋接続されて前記駆動制御装置１７の制御に基づいて駆動して図柄表示装置２５および支持部材２６を回転させる駆動モータ３３とから基本的に構成されて、前記表示制御装置１６と図柄表示装置２５とを、回転コネクタ３５を介して電気的に接続するよう構成されている。すなわち、実施例では、前記図柄表示装置２５および支持部材２６が、駆動モータ３３の駆動により回転する。従って、前記回転式表示装置２０は、前記表示制御装置１６の制御に基づいて図柄表示装置２５に表示される表示演出と、前記駆動制御装置１７の制御に基づいて駆動モータ３３を駆動することにより図柄表示装置２５が回転する動作演出とを行ない得るようになっている。
【００１６】
ここで、前記表示制御装置１６は、前記回転コネクタ３５を介して、前記図柄表示装置２５に対して各種図柄の変動表示に関する制御信号を送信すると共に、該図柄表示装置２５の動作に必要な電力を供給するよう構成される。また、前記図柄表示装置２５は、前記回転コネクタ３５を介して表示制御装置１６から供給される電力を蓄えるコンデンサ(蓄電手段)２４を備えており、前記回転コネクタ３５の接点(後述する帯状トラック３６ａおよびスライダ３７ａの接点)が一時的に断絶した際に、該コンデンサ２４に蓄電した電力により、動作に必要な電力を賄うよう構成されている。
【００１７】
(本体部について)
前記本体部２２は、図４に示すように、略円形板状に形成されており、その前面側に、前方へ延出する立上がり壁２２ａを形成して、上方を切り欠いた略円環形を呈するようになっている。そして、前記立上がり壁２２ａの内側に画成される円形開口領域２２ｂに、前記支持部材２６を設置するようになっている。また、前記本体部２２の背面には、図５に示すように、前記円形開口領域２２ｂの中心位置に、後方へ延在する円筒状の筒状部２３が形成されて、該円形開口領域２２ｂに臨ませた前記支持部材２６の回転軸部２７(後述)が挿入される。また、前記筒状部２３の前方開口端部および後方開口端部の夫々には、回転軸部２７を支持するベアリング３２,３２が同軸上に挿入されており、両ベアリング３２,３２で回転軸部２７を回転可能に支持している。なお、前記駆動モータ３３は、回転軸を後方へ指向させた姿勢で前記本体部２２の背面に配設されて、該回転軸に駆動ギア３４が取り付けられている(図４参照)。
【００１８】
図５に示すように、前記筒状部２３の後端部には、前記回転コネクタ３５および後述する従動ギア２８を収容保護する保護ケース２９が着脱可能に取り付けられる。ここで、前記保護ケース２９は、前記筒状部２３の後端部に固体される第１の保護部材３０と、該第１の保護部材３０に取り付けられる第２の保護部材３１とから構成されて、該第１および第２の保護部材３０,３１の間に、従動ギア２８と回転コネクタ３５とが一体的に回転するよう収容されている。
【００１９】
(支持部材について)
前記支持部材２６は、前記円形開口領域２２ｂに略整合する円盤状に形成されており、その中心位置に後方へ設けた回転軸部２７の後端部に、前記駆動ギア３４と歯合する従動ギア２８が取り付けられる(図４または図５参照)。すなわち、前記駆動モータ３３の駆動により駆動ギア３４を回転した際に、前記従動ギア２８が回転し、これに伴って前記回転軸部２７を中心として前記支持部材２６を回転することで、該支持部材２６と一体的に図柄表示装置２５が回転するよう構成される。なお、前記従動ギア２８は、前記筒状部２３に回転可能に挿入された前記回転軸部２７の後端部に取り付けられて、前記保護ケース２９内に収容される。
【００２０】
前記回転軸部２７には、図５に示すように、前後方向へ開口する配線孔２７ａが形成されると共に、前記従動ギア２８には、前記回転軸部２７の後方開口に整合する通孔(図示せず)が形成されている。そして、前記図柄表示装置２５に接続した配線４８が、この回転軸部２７の配線孔２７ａおよび従動ギア２８の通孔に挿通されて、従動ギア２８の背面側(回転コネクタ３５側)へ延在するようになっている。このように、前記図柄表示装置２５に接続した配線４８を回転中心となる回転軸部２７に通すことで、図柄表示装置２５(支持部材２６)の回転による配線の捻れを防止している。
【００２１】
(回転コネクタについて)
次に、前記回転コネクタ３５の構成につき、図６〜図８を用いて説明する。
【００２２】
前記回転コネクタ３５は、前記本体部２２側に固定されて同心円状の複数の帯状トラック３６ａ(図７においてハッチングを施した部位)を形成した第１部材３６と、各帯状トラック３６ａに対応して接触するスライダ３７ａ(図８参照)が設けられた第２部材３７とを備え、第１部材３６に表示制御装置１６を接続し、第２部材３７に図柄表示装置２５を接続するようになっている。すなわち、前記支持部材２６(図柄表示装置２５)の回転時に第２部材３７のスライダ３７ａが第１部材３６の帯状トラック３６ａ上を摺動することで、図柄表示装置２５と表示制御装置１６との接点が維持される。また、前記第２部材３７は、前記従動ギア２８に連繋接続されて、従動ギア２８(すなわち図柄表示装置２５)の回転と一体的に回転するよう構成されている。すなわち、実施例では、前記回転コネクタ３５の第１部材３６が固定側部材であり、第２部材３７が回転側部材となっている。なお、実施例の第１部材３６には、１２Ｖの液晶表示用のバックライト電源用、５Ｖの図柄表示装置２５の駆動制御用、グランド用の３つの帯状トラック３６ａ,３６ａ,３６ａを設けてある。
【００２３】
前記第１部材３６には、前記第２部材３７の回転中心と対応する位置に、赤外線信号(無線信号)を発信する赤外線発信装置(発信手段)４０が取り付けられている。そして、前記第１部材３６に接続される表示制御装置１６からの配線４７の内、制御信号を伝達する信号線４７ａを前記赤外線発信装置４０に接続し、前記図柄表示装置２５に対する電力供給用の電源線４７ｂを前記帯状トラック３６ａに接続するよう構成される。なお、前記赤外線発信装置４０は、赤外線受信装置４２(後述)が受信するまでの間に信号が欠損等しない強度で送信し得るよう構成される。
【００２４】
また、前記第２部材３７は、前記第１部材３６との対向面側に、前記帯状トラック３６ａと対応する複数(実施例では３個)のスライダ３７ａが設けられている。前記各スライダ３７ａは、前記帯状トラック３６ａに対応的に摺接するよう構成されて、該第２部材３７の回転時に各帯状トラック３６ａに対応するスライダ３７ａが常に接触し得るようになっている。すなわち、前記帯状トラック３６ａと、スライダ３７ａとの接触により図柄表示装置２５に電源供給がなされるようになっている。前記第２部材３７の回転中心には、前記赤外線発信装置４０からの赤外線信号を受信可能な赤外線受信装置(受信手段)４２が取り付けられている。そして、前記第２部材３７と図柄表示装置２５とを接続する配線４８の内、制御信号を伝達する信号線４８ａを前記赤外線受信装置４２に接続し、電力を供給する電源線４８ｂを前記スライダ３７ａに接続するよう構成されている。すなわち、前記表示制御装置１６から供給される電力は、前記回転コネクタ３５の帯状トラック３６ａおよびスライダ３７ａの接触により前記図柄表示装置２５に供給される一方で、該表示制御装置１６からの制御信号は、前記赤外線発信装置４０が発信した赤外線信号を赤外線受信装置４２が受信することで図柄表示装置２５に入力されるようになっている。
【００２５】
ここで、前記第１部材３６および第２部材３７には、図６に示すように、シリアル信号とパラレル信号とを変換する変換手段４４,４５が設けられている。第１部材３６に設けられるパラレル−シリアル変換手段４４は、前記表示制御装置１６からの信号線４７ａが接続されると共に、前記赤外線発信装置４０に接続されており、制御信号として表示制御装置１６から出力されるパラレル信号を、該パラレル−シリアル変換手段４４でシリアル信号に変換してから赤外線受信装置４２へ送信するようになっている。また、第２部材３７に設けられるシリアル−パラレル変換手段４５は、前記赤外線受信装置４２に接続されると共に、前記図柄表示装置２５に対して信号線４８ａで接続されており、赤外線受信装置４２が制御信号として受信したシリアル信号を、該シリアル−パラレル変換手段４５でパラレル信号に変換してから図柄表示装置２５へ入力するよう構成されている。
【００２６】
すなわち、前記表示制御装置１６から出力されたパラレル信号をシリアル信号に変換してから前記赤外線受信装置４２で赤外線信号を送信し、前記赤外線受信装置４２が受信した赤外線信号(シリアル信号)をパラレル信号に変換(復元)してから前記図柄表示装置２５へ入力するようになっている。
【００２７】
〔実施例の作用〕
次に、実施例に係るパチンコ機Ｐの作用につき説明する。実施例のパチンコ機Ｐでは、前記遊技盤１０に設けた始動入賞装置１１にパチンコ球が入賞すると、前記表示制御装置１６からの制御信号に基づいて、前記図柄表示装置２５で所要の図柄変動ゲームが行なわれる。このとき、前記駆動制御装置１７からの制御信号に基づいて前記駆動モータ３３が駆動されると、前記遊技盤１０に対して略平行な姿勢で図柄表示装置２５が正逆方向に回転して、遊技者の興趣を強く惹き付ける。ここで、前記図柄表示装置２５は、通電状態で相対的に回転可能な第１部材３６および第２部材３７からなる回転コネクタ３５を介して前記表示制御装置１６に接続されているから、該図柄表示装置２５と回転コネクタ３５の第２部材３７とを繋ぐ配線４８(信号線４８ａおよび電源線４８ｂ)が捻れることなく図柄表示装置２５を一定方向に連続して回転させ得る。また、前記図柄表示装置２５と回転コネクタ３５の第２部材３７とを繋ぐ配線の捻れ防止のために配線４８(信号線４８ａおよび電源線４８ｂ)を必要以上に長くする必要がなく、配線接続や配線取り回しの作業性向上が図られる。
【００２８】
ここで、前記回転コネクタ３５は、第１部材３６の帯状トラック３６ａと第２部材３７のスライダ３７ａとが接触することで、前記表示制御装置１６から供給される電力を図柄表示装置２５へ供給すると共に、第１部材３６に設けた前記赤外線発信装置４０が発信する赤外線信号を、第２部材３７に設けた赤外線受信装置４２が受信することで、該表示制御装置１６からの制御信号が図柄表示装置２５に入力される。従って、前記回転コネクタ３５の第１部材３６に形成する帯状トラック３６ａの数や、第２部材３７に形成するスライダ３７ａの数を、電力供給に必要な最小数(実施例では３つ)とし得るから、該回転コネクタ３５の接触部位を必要最小限にでき、回転抵抗の低減により第１部材３６に対して第２部材３７をスムーズに回転させ得る。また、前記回転コネクタ３５がスムーズに回転することで、前記駆動モータ３３としてトルクの小さな小型のものを採用でき、装置全体の小型化や、コストの低減を図り得る利点がある。
【００２９】
また、前記図柄表示装置２５を回転させると、該図柄表示装置２５の回転に伴う遠心力等に起因して前記帯状トラック３６ａおよびスライダ３７ａが非接触な状態(断線状態)が生ずることがある。ここで、実施例では、図柄表示装置２５にコンデンサ２４を設けてあるから、帯状トラック３６ａおよびスライダ３７ａが接触している間に表示制御装置１６から供給される電力を、該コンデンサ２４に蓄えておくことができる。従って、前記回転コネクタ３５における帯状トラック３６ａとスライダ３７ａとに非接触な状態が一時的に発生した場合であっても、前記コンデンサ２４に蓄電した電力を図柄表示装置２５に供給することで、図柄表示装置２５による正常な画像演出が可能となる。ここで、前記図柄表示装置２５の回転に伴う遠心力等に起因して帯状トラック３６ａおよびスライダ３７ａが非接触な状態になる時間は、数ミリ秒程度の極短時間であるから、通常時にコンデンサ２４で蓄電しておくことで、帯状トラック３６ａおよびスライダ３７ａが非接触な状態においても、図柄表示装置２５への安定した電力供給が可能である。
【００３０】
更に、前記表示制御装置１６からの制御信号を、前記赤外線発信装置４０が赤外線信号として発信すると共に、該赤外線信号を赤外線受信装置４２が受信して図柄表示装置２５に入力するよう構成したから、図柄表示装置２５の回転に伴う遠心力等に起因して前記帯状トラック３６ａおよびスライダ３７ａに非接触な状態が発生したとしても、表示制御装置１６と図柄表示装置２５との間での制御信号の入出力は何ら影響を受けない。すなわち、前記表示制御装置１６からの制御信号を図柄表示装置２５に確実に入力することができるから、該図柄表示装置２５に適切な表示を行なわせることができる。
【００３１】
更にまた、前記第１部材３６における第２部材３７の回転中心に前記赤外線発信装置４０を配置すると共に、該第２部材３７の回転中心に前記赤外線受信装置４２を配置してある。従って、前記図柄表示装置２５の回転に伴って前記第２部材３７を回転した場合に、前記赤外線発信装置４０と赤外線受信装置４２との相対的な位置関係のズレを最小できるから、赤外線信号の送受信を確実に行なうことができ、図柄表示装置２５に適切な画像表示を行なわせ得る。
【００３２】
また、近年のパチンコ機は、前記図柄表示装置２５でより多彩な演出を行ない得るよう前記表示制御装置１６からは制御信号としてより多くの情報を伝達可能なパラレル信号が出力される。しかし、パラレル信号を出力する場合には、情報量の増大を図り得る反面、通信時間も長くなることから、何らかの外的要因により図柄表示装置２５に全ての制御信号が入力されるまでに情報の欠損等が生ずる可能性がある。このため、前記表示制御装置１６から制御信号として情報量の少ないシリアル信号を出力することで、制御信号が図柄表示装置２５に入力されるまでの間に欠損するのを防止することが考えられるものの、この場合には情報量が限られることで図柄表示装置２５に複雑で多彩な表示をさせることは困難となる。
【００３３】
そこで、実施例では、前記表示制御装置１６から出力されるパラレル信号を、パラレル−シリアル変換手段４４により情報量の少ないシリアル信号に変換したもとで、前記回転コネクタ３５の赤外線発信装置４０が赤外線信号を発信すると共に、赤外線受信装置４２が受信した赤外線信号をシリアル−パラレル変換手段４５でパラレル信号に変換(復元)したもとで図柄表示装置２５に入力するよう構成してある。これにより、前記赤外線発信装置４０と赤外線受信装置４２との間でやりとりされる情報量を抑制できるから、これら装置４０,４２間で全情報(全ての制御信号)を速やかに送受信できる。従って、赤外線発信装置４０と赤外線受信装置４２との間でやりとりされる信号が外的要因によって欠損されるのを抑制でき、図柄表示装置２５での多彩な演出を適切に表示できる。このように、パラレル−シリアル変換手段４４およびシリアル−パラレル変換手段４５を用いてパラレル信号とシリアル信号とを相互に変換することにより、図柄表示装置２５を回転させる場合であっても一般的な図柄表示装置２５を使用し得るから、コストの増大を抑制しつつ多彩な演出が可能となる。
【００３４】
〔変更例〕
なお、本発明に係る遊技機としては、実施例のものに限られるものではなく、種々の変更が可能である。実施例では、制御装置側(固定側)に帯状トラックを形成した第１部材を設け、図柄表示装置側(回転側)にスライダを形成した第２部材を設けたが、図柄表示装置側に第１部材を一体的に回転するよう設け、制御装置側に第２部材を固定的に設けるようにすることも可能である。
【００３５】
また、実施例では、発信手段および受信手段として赤外線を送受信することで、制御装置からの制御信号を図柄表示装置２５に入力するよう構成したが、この構成に限られるものではない。例えば、発信手段および受信手段としては、実施例に示した赤外線の他に可視光線等(レーザー等)を用いた光無線通信手段であってもよく、あるいは電波を用いた無線通信手段であってもよい。また、音波または超音波を用いた音響通信も採用可能である。ここで、発信手段および受信手段により電波を送受信するよう構成する場合には、回転コネクタの外部への電波漏洩を防止する電波吸収部材を設けることが好適である。
【００３６】
また、実施例では、回転コネクタの固定側部材(すなわち第１部材)に発信手段を設け、回転コネクタの回転側部材(すなわち第２部材)に受信手段を設けるようにしたが、これに加えて、回転コネクタの固定側部材に第２の受信手段を設けると共に、回転コネクタの回転側部材に第２の発信手段を設けるようにすれば、制御装置と図柄表示装置との間で双方向通信が可能となる。なお、回転コネクタの固定側部材および回転側部材に発信手段と受信手段を設けるに際しては、個別機能を備えた部材・装置を設けても、両機能を備えた部材・装置を設けることもできる。
【００３７】
また、実施例では、前記発信手段および受信手段の夫々を、前記回転コネクタの回転中心に配置するよう構成したが、これに限定されるものではなく、第１部材および第２部材を相対的に回転させた際に、発信手段および受信手段の間で常に無線信号の送受信が可能な位置であれば、これら手段を第１部材および第２部材の任意位置に設けることができる。
【００３８】
また、実施例では、前記制御装置から回転コネクタを介して供給される電力を蓄える蓄電手段としてコンデンサを採用したが、これに限られるものではなく、蓄電可能なものであれば従来公知の各種手段を採用できる。
【００３９】
実施例では、パラレル−シリアル変換手段およびシリアル−パラレル変換手段の夫々を回転コネクタに設けた例を示したが、これに限られるものではない。すなわち、パラレル−シリアル変換手段は、発信手段および制御装置の間に設ければ、制御装置からのパラレル信号をシリアル信号に変換したもとで発信手段が無線信号を送信でき、シリアル−パラレル変換手段は、受信手段および図柄表示装置の間に設ければ、受信手段が受信した無線信号をパラレル信号に変換(復元)したもとで図柄表示装置に入力することができる。
【００４０】
なお、実施例では、パチンコ機の図柄表示装置２５と表示制御装置とを回転コネクタで接続する場合を例にして説明したが、これに限られるものではなく、スロットマシンやアレンジボール機等の遊技機に採用することも可能で、回転自在に設けた図柄表示装置と制御装置とを接続するよう構成された遊技機であれば何れのものにも採用し得る。
【図面の簡単な説明】
【００４１】
【図１】本発明の実施例に係るパチンコ機を示す正面図である。
【図２】実施例に係るパチンコ機を示す背面図である。
【図３】実施例に係る各制御装置と、制御対象部材との関係を示すブロック図である。
【図４】実施例に係る回転表示装置の分解斜視図である。
【図５】実施例に係る回転表示装置を分解した状態を一部縦断して概略で示す側面図である。
【図６】実施例に係る回転コネクタに対して図柄表示装置および表示制御装置を接続した状態を示す模式図である。
【図７】実施例に係る回転コネクタにおける第１部材の第２部材との対向面を示す説明図である。
【図８】実施例に係る回転コネクタにおける第２部材の第１部材との対向面を示す説明図である。
【符号の説明】
【００４２】
１６  表示制御装置(制御装置)
２４  コンデンサ(蓄電手段)
２５  図柄表示装置
３５  回転コネクタ
３６  第１部材
３６ａ  帯状トラック
３７  第２部材
３７ａ  スライダ
４０  赤外線発信装置(発信手段)
４１  赤外線受信装置(受信手段)
４４  パラレル−シリアル変換手段
４５  シリアル−パラレル変換手段
【図１】
2008125672.tif 000003
【図２】
2008125672.tif 000004
【図３】
2008125672.tif 000005
【図４】
2008125672.tif 000006
【図５】
2008125672.tif 000007
【図６】
2008125672.tif 000008
【図７】
2008125672.tif 000009
【図８】
2008125672.tif 000010